(57)【要約】  放射線計測器は、制御部（１２）は、気圧計（１３）の測定値に応じて、放射線と空気との相互作用により発生する電子に起因する第１電離電流と、放射線と入射側電極（１１ｂ）との相互作用により発生する電子に起因する第２電離電流との両方に基づいて放射線量情報を補正するように構成されている。
2019003374.tif 000002
【特許請求の範囲】
【請求項１】
放射線が入射する入射口に取り付けられる入射側電極および出射口に取り付けられる出射側電極を含み、前記入射側電極を透過した放射線により発生する電離電流を測定するための電離箱と、
前記電離箱内の気圧を測定する気圧計と、
電離電流に基づいて放射線量情報を取得する制御部とを備え、
前記制御部は、前記気圧計の測定値に応じて、放射線と空気との相互作用により発生する電子に起因する第１電離電流と、放射線と前記入射側電極との相互作用により発生する電子に起因する第２電離電流との両方に基づいて前記放射線量情報を補正するように構成されている、放射線計測器。
【請求項２】
前記制御部は、前記電離電流全体のうちの前記第１電離電流の割合である第１の割合および気圧変化に対する前記電離箱内の空気の感度を表す空気側感度比と、前記電離電流全体のうちの前記第２電離電流の割合である第２の割合および気圧変化に対する前記入射側電極の感度を表す電極側感度比とに基づいて、前記放射線量情報を補正するように構成されている、請求項１に記載の放射線計測器。
【請求項３】
前記制御部は、前記電極側感度比を１として、以下の式により求められる補正係数に基づいて、前記放射線量情報を補正するように構成されている、請求項２に記載の放射線計測器。
【数１】
2019003374.tif 000008
【請求項４】
前記制御部は、記憶媒体を含み、
前記記憶媒体には、気圧と前記補正係数とが関連付けられたテーブルが記憶されており、
前記制御部は、前記気圧計の測定値に応じて前記補正係数を前記テーブルから読み出し、前記補正係数により前記放射線量情報を補正するように構成されている、請求項３に記載の放射線計測器。
【請求項５】
被検体に放射線を照射する放射線照射部と、
前記被検体を透過した放射線を検出する放射線検出部と、
前記放射線照射部と前記放射線検出部との間に設けられ、前記放射線照射部から照射された放射線の放射線量を計測する放射線計測器とを備え、
前記放射線計測器は、
放射線が入射する入射口に取り付けられる入射側電極および出射口に取り付けられる出射側電極を有し、前記入射側電極を透過した放射線により発生する電離電流を測定するための電離箱と、
前記電離箱内の気圧を測定する気圧計と、
前記電離電流に基づいて放射線量情報を取得する制御部とを含み、
前記制御部は、前記気圧計の測定値に応じて、放射線と空気との相互作用により発生する電子に起因する第１電離電流と、放射線と前記入射側電極との相互作用により発生する電子に起因する第２電離電流との両方に基づいて前記放射線量情報を補正するように構成されている、放射線撮影装置。
【発明の詳細な説明】
【技術分野】
【０００１】
この発明は、放射線計測器および放射線撮影装置に関し、特に、放射線と空気との相互作用により発生する電離電流を測定するための電離箱を備える放射線計測器および放射線撮影装置に関する。
【背景技術】
【０００２】
従来、Ｘ線（放射線）と空気との相互作用により発生する電流（電離電流）を測定するための検出器（電離箱）を備えるＸ線診断装置（放射線撮影装置）が知られている。このような、Ｘ線診断装置は、たとえば、特開２０１４−５４３２２号公報に開示されている。【０００３】
上記特開２０１４−５４３２２号公報に記載のＸ線診断装置は、被検体に対してＸ線を照射するＸ線発生部を備えている。Ｘ線発生部は、Ｘ線管と、線量計測部を有するＸ線照射部と、Ｘ線制御部および高電圧発生器を有する高電圧発生部とを含んでいる。ここで、線量計測部は、Ｘ線が入射する入射口および出射する出射口のそれぞれに電極（入射側電極および出射側電極）が設けられる電離箱を用いた検出器を有している。【０００４】
電離箱では、放射線が入射されることにより２つの電極の間の空気が電離することに起因して、２つの金属板の間に電流（電離電流）が流れる。上記特開２０１４−５４３２２号公報に記載のような従来のＸ線診断装置では、この電離電流を電流測定回路により測定することにより、Ｘ線の放射線量（面積線量値）が求められる。ここで、放射線により空気の電子が電離したことにより発生する電流が、電離箱内の気圧によって変化する。これにより、測定される電流が電離箱内の気圧によって変化するので、電離箱内の気圧が変化することによりＸ線の線量も変化してしまう。【０００５】
また、電離電流の量は、電離箱内の気圧によって変化する。そこで、上記特開２０１４−５４３２２号公報に記載のような従来のＸ線診断装置では、Ｘ線診断装置に気圧計を設けて、気圧計によって測定された気圧に基づいて、面積線量を気圧に応じて補正するように構成されている。なお、面積線量を補正するための補正係数は、気体の状態方程式に基づいて求められている。
【先行技術文献】
【特許文献】
【０００６】
【特許文献１】特開２０１４−５４３２２号公報
【発明の概要】
【発明が解決しようとする課題】
【０００７】
しかしながら、空気の電離が、Ｘ線と空気との相互作用のみならず、Ｘ線と他の部材（固体）との相互作用によっても発生する場合、上記の気体の状態方程式に基づいて求められた補正係数では、正確に面積線量を補正できない場合があるという問題点が考えられる。【０００８】
この発明は、上記のような課題を解決するためになされたものであり、この発明の１つの目的は、より正確に放射線の放射線量を補正可能な放射線計測器および放射線撮影装置を提供することである。
【課題を解決するための手段】
【０００９】
上記目的を達成するために、この発明の第１の局面における放射線計測器は、放射線が入射する入射口に取り付けられる入射側電極および出射口に取り付けられる出射側電極を含み、入射側電極を透過した放射線により発生する電離電流を測定するための電離箱と、電離箱内の気圧を測定する気圧計と、電離電流に基づいて放射線量情報を取得する制御部とを備え、制御部は、気圧計の測定値に応じて、放射線と空気との相互作用により発生する電子に起因する第１電離電流と、放射線と入射側電極との相互作用により発生する電子に起因する第２電離電流との両方に基づいて放射線量情報を補正するように構成されている。【００１０】
この発明の第１の局面における放射線計測器では、上記のように、制御部は、放射線と空気との相互作用に起因する第１電離電流と、放射線と入射側電極との相互作用に起因する第２電離電流との両方に基づいて放射線量情報を補正するように構成されている。ここで、入射側電極を含む電離箱に放射線が入射した場合、放射線と電離箱内の空気との相互作用によって発生する二次電子が空気を電離するとともに、放射線と入射側電極との相互作用によって発生する二次電子が空気を電離する。そして、放射線と電離箱内の空気との相互作用に起因する電離は、空気の気圧の影響が比較的大きい。しかし、放射線と入射側電極との相互作用に起因する電離は、入射側電極が気体でないため（固体であるため）気圧の影響が比較的小さい。このため、放射線と電離箱内の空気との相互作用に起因する第１電離電流、および、放射線と入射側電極との相互作用に起因する第２電離電流の両方に、空気の気圧が影響を与えるとして放射線量情報を補正した場合、過剰補正となり正確に放射線量情報を補正することができない場合がある。そこで、上記のように、放射線と空気との相互作用に起因し、空気の気圧の影響が比較的大きい第１電離電流と、放射線と入射側電極との相互作用に起因し、空気の気圧の影響が比較的小さい第２電離電流とに分けた上で放射線量情報を補正することによって、より正確に放射線の放射線量情報を補正することができる。【００１１】
上記第１の局面による放射線計測器において、好ましくは、制御部は、電離電流全体のうちの第１電離電流の割合である第１の割合および気圧変化に対する電離箱内の空気の感度を表す空気側感度比と、電離電流全体のうちの第２電離電流の割合である第２の割合および気圧変化に対する入射側電極の感度を表す電極側感度比とに基づいて、放射線量情報を補正するように構成されている。なお、感度は、電離箱内の空気および入射側電極のそれぞれの気圧の変化に対する影響を受ける度合いを示している。このように構成すれば、制御部が、電離電流全体における空気側感度比の影響の割合と、電離電流全体における電極側感度比の影響の割合とに基づいて放射線量情報を補正することができる。これにより、制御部が、空気および入射側電極それぞれの電離箱内の気圧変化による影響の割合が異なる点に基づいて放射線量情報を補正するように構成されているので、より一層正確にＸ線の放射線量情報を補正することができる。【００１２】
この場合、好ましくは、制御部は、電極側感度比を１として、以下の式により求められる補正係数に基づいて、放射線量情報を補正するように構成されている。
【数２】
2019003374.tif 000003
ここで、放射線と入射側電極との相互作用に起因する電離は、気圧の影響が比較的小さいので、電極側感度比を１とすることにより、適切に放射線の放射線量情報を補正することができる。【００１３】
上記補正係数を用いて放射線量情報を補正する放射線計測器において、好ましくは、制御部は、記憶媒体を含み、記憶媒体には、気圧と補正係数とが関連付けられたテーブルが記憶されており、制御部は、気圧計の測定値に応じて補正係数をテーブルから読み出し、補正係数により放射線量情報を補正するように構成されている。このように構成すれば、テーブルに記憶された補正係数を読み出すだけで放射線量情報を補正することができるので、補正係数をリアルタイムにおいて数式により計算するよりも迅速に放射線量情報を補正することができる。これにより、制御部の負荷を軽減することができる。【００１４】
上記第２の局面における放射線撮影装置は、被検体に放射線を照射する放射線照射部と、被検体を透過した放射線を検出する放射線検出部と、放射線照射部と放射線検出部との間に設けられ、放射線照射部から照射された放射線の線量を計測する放射線計測器とを備え、放射線計測器は、放射線が入射する入射口に取り付けられる入射側電極および出射口に取り付けられる出射側電極を有し、入射側電極を透過した放射線により発生する電離電流を測定するための電離箱と、電離箱内の気圧を測定する気圧計と、電離電流に基づいて放射線量情報を取得する制御部とを含み、制御部は、気圧計の測定値に応じて、放射線と空気との相互作用により発生する電子に起因する第１電離電流と、放射線と入射側電極との相互作用により発生する電子に起因する第２電離電流との両方に基づいて放射線量情報を補正するように構成されている。【００１５】
上記第２の局面における放射撮影装置では、上記のように、制御部は、放射線と空気との相互作用に起因する第１電離電流と、放射線と入射側電極との相互作用に起因する第２電離電流との両方に基づいて放射線量情報を補正するように構成されている。ここで、入射側電極を含む電離箱に放射線が入射した場合、放射線と電離箱内の空気との相互作用によって発生する二次電子が空気を電離するとともに、放射線と入射側電極との相互作用によって発生する二次電子が空気を電離する。そして、放射線と電離箱内の空気との相互作用に起因する電離は、空気の気圧の影響が比較的大きい。しかし、放射線と入射側電極との相互作用に起因する電離は、入射側電極が気体でないため（固体であるため）気圧の影響が比較的小さい。このため、放射線と電離箱内の空気との相互作用に起因する第１電離電流、および、放射線と入射側電極との相互作用に起因する第２電離電流の両方に、空気の気圧が影響を与えるとして放射線量情報を補正した場合、過剰補正となり正確に放射線量情報を補正することができない場合がある。そこで、上記のように、放射線と空気との相互作用に起因し、空気の気圧の影響が比較的大きい第１電離電流と、放射線と入射側電極との相互作用に起因し、空気の気圧の影響が比較的小さい第２電離電流とに分けた上で放射線量情報を補正することによって、より正確に放射線の放射線量情報を補正することができる。
【発明の効果】
【００１６】
本発明によれば、上記のように、より正確に放射線の放射線量を補正することができる。
【図面の簡単な説明】
【００１７】
【図１】本発明の一実施形態によるＸ線撮影装置の構成を模式的に示した全体構成図である。
【図２】本発明の一実施形態によるＸ線撮影装置のＸ線計測器を模式的に示したブロック図である。
【図３】本発明の一実施形態によるＸ線撮影装置におけるＸ線がＸ線計測器を透過する状態を示した模式的な断面図である。
【図４】本発明の一実施形態によるＸ線撮影装置の各気圧に対する目標とする感度比、従来の補正係数を用いた感度比および本発明の補正係数を用いた感度比を比較したグラフである。
【図５】本発明の一実施形態によるＸ線撮影装置におけるＸ線と空気との相互作用および入射側電極とＸ線との相互作用を示した模式的な断面図である。
【図６】本発明の一実施形態によるＸ線撮影装置におけるＸ線と空気との相互作用のみを示した模式的な断面図である。
【発明を実施するための形態】
【００１８】
以下、本発明を具体化した実施形態を図面に基づいて説明する。
【００１９】
（Ｘ線撮影装置の構成）
図１〜図６を参照して、本実施形態によるＸ線撮影装置１の構成について説明する。なお、Ｘ線撮影装置１は、特許請求の範囲の「放射線撮影装置」の一例である。このＸ線撮影装置１は、いわゆるアイランド型のＸ線撮影装置１の例を示している。
【００２０】
Ｘ線撮影装置１は、図１に示すように、Ｘ線照射部２を備えている。Ｘ線照射部２は、被検体６にＸ線を照射するように構成されている。具体的には、Ｘ線照射部２は、Ｘ線管２１を含む。Ｘ線管２１は、Ｘ線を発生させるように構成されている。また、Ｘ線照射部２は、コリメータ２２を含む。コリメータ２２は、Ｘ線管２１から発生され円錐状に広がるＸ線束の範囲を絞り込むように構成されている。たとえば、コリメータ２２は、Ｘ線を検出するＦＰＤ３（Ｆｌａｔ  Ｐａｎｅｌ  Ｄｅｔｅｃｔｏｒ）の形状（矩形状）に合うように、Ｘ線束の範囲を絞り込む。なお、Ｘ線は、特許請求の範囲の「放射線」の一例である。また、Ｘ線照射部２は、特許請求の範囲の「放射線照射部」の一例である。
【００２１】
Ｘ線撮影装置１は、被検体６を透過したＸ線を検出するＦＰＤ３を備えている。ＦＰＤ３は、被検体６の下方（被検体６のＸ線照射部２側とは反対側）に配置されている。なお、ＦＰＤ３は、特許請求の範囲の「放射線検出部」の一例である。
【００２２】
Ｘ線撮影装置１は、Ｘ線計測器４を備えている。Ｘ線計測器４は、Ｘ線照射部２とＦＰＤ３との間に設けられている。具体的には、Ｘ線計測器４は、コリメータ２２の下方（コリメータ２２のＸ線管２１側とは反対側のＸ線放射口部）に設けられている。そして、Ｘ線計測器４は、Ｘ線照射部２から照射されたＸ線の線量を計測するように構成されている。詳細には、Ｘ線計測器４は、Ｘ線管２１により発生され、コリメータ２２を介して被検体６に照射されるＸ線の放射線量（面積線量）を計測するように構成されている。このように、Ｘ線計測器４は、被検体６の被ばく放射線量の管理に用いられる。なお、「放射線量」とは、Ｘ線が照射される照射面の全線量を意味しており、単位は「Ｇｙ・ｍ2」などである。なお、Ｘ線計測器４は、特許請求の範囲の「放射線計測器」の一例である。また、放射線量は、特許請求の範囲の「放射線量情報」の一例である
【００２３】
また、Ｘ線照射部２およびＸ線計測器４は、支持部５により支持されている。支持部５により支持されているＸ線照射部２およびＸ線計測器４は、被検体６に対して相対的に移動可能に構成されている。
【００２４】
また、Ｘ線撮影装置１は、天板７を備えている。天板７は、天板７の表面上に被検体６が横臥するように構成されている。
【００２５】
（Ｘ線計測器の構成）
次に、図２および図３を参照して、Ｘ線計測器４の構成について説明する。
【００２６】
Ｘ線計測器４は、図２に示すように、電離箱１１に入射したＸ線が空気を正電荷のイオンと負電荷の電子に電離させて発生する電離電流を測定することにより、Ｘ線の放射線量を求めるように構成されている。具体的には、Ｘ線計測器４は、電離箱１１と、制御部１２と、気圧計１３とを含んでいる。気圧計１３は、電離箱１１内の気圧を測定する。
【００２７】
図３に示すように、電離箱１１は、箱状の筐体１１ａを備えている。筐体１１ａは、たとえば、樹脂などにより形成されている。また、電離箱１１は、Ｘ線が入射する入射口に設けられる入射側電極１１ｂと、Ｘ線が出射する出射側電極１１ｃとを有している。入射側電極１１ｂと出射側電極１１ｃは、互いに対向するように配置されている。入射側電極１１ｂおよび出射側電極１１ｃは、たとえば、ＩＴＯ（Ｉｎｄｉｕｍ  Ｔｉｎ  Ｏｘｉｄｅ）などの透明電極から構成されている。また、入射側電極１１ｂは、筐体１１ａの上面側に設けられ、出射側電極１１ｃは、筐体１１ａの下面側に設けられている。
【００２８】
図２に示すように、制御部１２は、基板計測装置などの情報処理装置からなり、ＣＰＵ１２ａ（Ｃｅｎｔｒａｌ  Ｐｒｏｃｅｓｓｉｎｇ  Ｕｎｉｔ）と、メモリ１２ｂとを主として含んでいる。ＣＰＵ１２ａは、Ｘ線照射部２によるＸ線照射に関する制御や、ＦＰＤ３による検出信号の読み出し制御を行うように構成されている。メモリ１２ｂには、気圧と後述する補正係数とが関連付けられた補正係数テーブル１２ｃが記憶されている。なお、メモリ１２ｂは、特許請求の範囲の「記憶媒体」の一例である。また、補正係数テーブル１２ｃは、特許請求の範囲の「テーブル」の一例である。
【００２９】
（補正係数）
Ｘ線計測器４では、図３に示すように、電離箱１１にＸ線が入射されることにより、入射側電極１１ｂと出射側電極１１ｃとの間の空気が正電荷のイオンと負電荷の電子とに電離する。そして、正電荷のイオンが負側の入射側電極１１ｂ側に移動し、負電荷の電子が正側の出射側電極１１ｃ側に移動する。このため、２つの入射側電極１１ｂと出射側電極１１ｃとの間が通電し、２つの入射側電極１１ｂと出射側電極１１ｃとの間に電離電流が発生する。この電離電流を測定することにより、Ｘ線の放射線量が求められる。
【００３０】
ここで、筐体１１ａは、密閉しないように構成されている。すなわち、筐体１１ａ内（入射側電極１１ｂと出射側電極１１ｃとの間）には、空気が充満している。また、筐体１１ａが密閉されていないことにより、筐体１１ａ内の空気の気圧は、電離箱１１の周囲の環境の大気圧の影響を受ける。すなわち、電離箱１１の周囲の環境の大気圧の増減に伴って、筐体１１ａ内の空気の気圧が変化する。これにより、Ｘ線計測器４では、筐体１１ａ内の空気の密度が変化し電離電流も変化する。
【００３１】
〈従来の補正係数〉
そのため、従来のＸ線計測器（図示せず）では、筐体内の気圧に対応して補正する補正係数を用いて、計測されたＸ線の放射線量を補正している。ここで、筐体内において発生する電離電流は、筐体内の気圧と比例関係にあるので、Ｘ線計測器で計測するＸ線の放射線量も筐体内の気圧と比例関係にある。これにより、基準大気圧（Ｐ０とする）および計測された気圧（Ｐ１とする）との比率と、基準大気圧のときのＸ線の放射線量（Ｒ０とする）と計測された気圧のときのＸ線の放射線量（Ｒ１とする）との比率は等しくなる。すなわち、Ｒ１／Ｒ０＝Ｐ１／Ｐ０となるので、Ｒ１＝Ｒ０・Ｐ１／Ｐ０となる。このように、気圧が変化したときの放射線量はＰ１／Ｐ０の分だけ変化することになるので、これの逆数を乗算することにより、気圧による変化を相殺することができる。この結果、従来の補正係数は、気圧を基準大気圧により除算して求められる感度比の逆数となっている。すなわち、感度比（Ｓとする）はＳ＝Ｐ１／Ｐ０により求められ、補正係数（Ｋとする）はＫ＝１／Ｓにより求められる。
【００３２】
しかし、上記した方法で求めた補正係数によって感度比を補正した場合、図４に示すように、基準大気圧未満の場合では、補正後の感度比と、目標とする感度比との差が比較的大きい。ここで、補正係数は、補正前の感度比に補正係数を乗算した補正後の感度比が定格気圧レンジ（約０．９８〜約１．０２）内に収まる必要がある。定格気圧レンジは、Ｘ線計測器４の個別規格ＩＥＣ６０５８０において定められている。しかし、補正前の感度比に従来の補正係数を乗算した補正後の感度比は、表１に示すように、８００［ｈＰａ］において、定格気圧レンジから外れてしまっている。ここで、補正前の感度比とは、気圧の変化に起因して感度比が変化した状態の値である。
【表１】
2019003374.tif 000004
【００３３】
従来の補正係数を用いると目標とする感度比との差が大きい原因は、図５に示すように、Ｘ線により誘起される電離電流の発生経路が２種類あることが原因である。すなわち、電離電流の発生経路は、１つ目として、電離箱１１に入射したＸ線と空気との相互作用に起因して発生する第１電子Ｅ１により空気が電離され、第１電離電流が発生するという第１経路を有している。また、電離電流の発生経路は、２つ目として電離箱１１に入射したＸ線と入射側電極１１ｂとの相互作用に起因して発生する第２電子Ｅ２により空気が電離され、第１電離電流が発生するという第２経路を有している。従来の補正係数では、第１経路のみしか考慮されていない。
【００３４】
〈本願の補正係数〉
そこで、本実施形態のＸ線計測器４では、図４に示すように、第１経路に加えて第２経路を考慮した補正係数が用いられている。これにより、図４に示すように、本実施形態の補正係数により補正した補正後の感度比は、目標とする感度比との差が小さい値となる。具体的には、表２に示すように、８００［ｈＰａ］において、補正後の感度比を定格気圧レンジ内に収めることが可能となる。
【表２】
2019003374.tif 000005
【００３５】
詳細には、図５に示すように、気圧に応じて、第１電子Ｅ１に起因する第１電離電流と、第２電子Ｅ２に起因する第２電離電流との両方に基づいて放射線量を補正するように構成されている。具体的には、制御部１２は、空気側感度比と、電極側感度比とに基づいて放射線量を補正する。空気側感度比は、周囲の気圧変化に対する電離箱１１内の空気の感度を示す。空気側感度比は、電離箱１１内の気圧を基準大気圧により除算することに基づいて取得される。また、電極側感度比は、気圧変化に対する入射側電極１１ｂの感度を示す。電極側感度比は、基準大気圧から気圧が変化しても、入射側電極１１ｂには変化が生じにくいので１とする。
【００３６】
また、制御部１２は、以下の式に基づいて求められる補正係数に基づいて、放射線量を補正するように構成されている。具体的には、制御部１２は、第１乗算値に第２乗算値を加算した値の逆数を補正係数として取得する。ここで、第１乗算値は、電離電流全体のうちの第１電離電流の割合である第１の割合と空気側感度比とを乗算した値である。第２乗算値は、電離電流全体のうちの第２電離電流の割合である第２の割合と電極側感度比を乗算した値である。すなわち、補正係数は、式（１）に基づいて取得される。
【数３】
2019003374.tif 000006
【００３７】
ここで、第１の割合および第２の割合は、以下のような方法により求めることができる。なお、以下に示す方法は、あくまで第１の割合および第２の割合を求める方法の一例にすぎない。まず、図５に示すように、Ｘ線計測器４が、入射口に透明電極膜である入射側電極１１ｂと、出射口に透明電極膜である出射側電極１１ｃとを含んでいる場合を想定する。このとき、Ｘ線計測器４にＸ線が照射されると、空気との相互作用に起因する第１電離電流および入射側電極１１ｂとの相互作用に起因する第２電離電流が生じる。次に、図６に示すように、Ｘ線計測器４が、入射側電極１１ｂと、出射側電極１１ｃとを含んでいない場合を想定する。このとき、Ｘ線計測器４にＸ線を照射すると、空気との相互作用に起因する第１電離電流のみが生じる。
【００３８】
上記のような仮定（前提条件）に基づいて、電子光子輸送シミュレーション（たとえば、高エネルギー加速器研究機構のＥＧＳ５：Ｅｌｅｃｔｒｏｎ  Ｇａｍｍａ  Ｓｈｏｗｅｒ  ｖｅｒｓｉｏｎ５）を行うことにより、第１電離電流の量および第２電離電流の量が算出される。なお、電離電流は透明電極膜の厚みと電極間の空気の厚みとの影響を受けるため、実際の入射側電極１１ｂの厚みと、入射側電極１１ｂと出射側電極１１ｃとの間の空気の厚みとを考慮して、電子光子輸送シミュレーションを行っている。また、電子光子輸送シミュレーションにおいて、気圧の変化を模擬するために、入力データである空気の密度を変化させながら電子光子輸送シミュレーションを行っている。
【００３９】
これにより、第１の割合は、図６に示すＸ線計測器４において生じる電離電流（第１電離電流）の量を、図５に示すＸ線計測器４において生じる電離電流（第１電離電流＋第２電離電流）の量により除算することにより取得される。また、第２の割合は、図５に示すＸ線計測器４において生じる電離電流（第１電離電流＋第２電離電流）の量から図６に示すＸ線計測器４において生じる電離電流（第１電離電流）の量を減算した値を、図５に示すＸ線計測器４において生じる電離電流（第１電離電流＋第２電離電流）の量により除算することにより取得される。
【００４０】
制御部１２は、気圧計１３の測定値に応じて補正係数を補正係数テーブル１２ｃから読み出し、補正係数により放射線量を補正するように構成されている。具体的には、表３に示すように、メモリ１２ｂには、気圧と補正係数とが関連付けられた補正係数テーブル１２ｃが記憶されている。
【表３】
2019003374.tif 000007
【００４１】
（本実施形態の効果）
本実施形態では、以下のような効果を得ることができる。
【００４２】
本実施形態では、上記のように、制御部１２は、Ｘ線と空気との相互作用に起因する第１電離電流と、Ｘ線と入射側電極１１ｂとの相互作用に起因する第２電離電流との両方に基づいて放射線量を補正するように構成されている。ここで、入射側電極１１ｂを含む電離箱１１にＸ線が入射した場合、Ｘ線と電離箱１１内の空気との相互作用によって発生する二次電子が空気を電離するとともに、Ｘ線と入射側電極１１ｂとの相互作用によって発生する二次電子が空気を電離する。そして、Ｘ線と電離箱１１内の空気との相互作用に起因する電離は、空気の気圧の影響が比較的大きい。しかし、Ｘ線と入射側電極１１ｂとの相互作用に起因する電離は、入射側電極１１ｂが気体でないため（固体であるため）気圧の影響が比較的小さい。このため、Ｘ線と電離箱１１内の空気との相互作用に起因する第１電離電流、および、Ｘ線と入射側電極１１ｂとの相互作用に起因する第２電離電流の両方に、空気の気圧が影響を与えるとして放射線量を補正した場合、過剰補正となり正確に放射線量を補正することができない場合がある。そこで、上記のように、Ｘ線と空気との相互作用に起因し、空気の気圧の影響が比較的大きい第１電離電流と、Ｘ線と入射側電極１１ｂとの相互作用に起因し、空気の気圧の影響が比較的小さい第２電離電流とに分けた上で放射線量を補正することによって、より正確にＸ線の放射線量を補正することができる。
【００４３】
また、本実施形態では、上記のように、制御部１２は、第１の割合および空気側感度比と、第２の割合および電極側感度比とに基づいて、放射線量を補正するように構成されている。ここで、感度は、電離箱１１内の空気および入射側電極１１ｂのそれぞれの気圧の変化に対する影響を受ける度合いを示している。これにより、制御部１２が、電離電流全体における空気側感度比の影響の割合と、電離電流全体における電極側感度比の影響の割合とに基づいて放射線量を補正することができる。この結果、制御部１２が、空気および入射側電極１１ｂそれぞれの電離箱１１内の気圧変化による影響が異なる点に基づいて放射線量を補正するように構成されているので、より一層正確にＸ線の放射線量を補正することができる。
【００４４】
また、本実施形態では、上記のように、放射線量を補正する補正係数は、電離箱１１内の気圧を基準大気圧により除算することに基づいて取得される空気側感度比と、１として取得される電極側感度比とに基づいて取得される。これにより、放射線と入射側電極１１ｂとの相互作用に起因する電離は、気圧の影響が比較的小さいので、電極側感度比を１とすることにより、適切に放射線の放射線量を補正することができる。また、計測された気圧のみにより取得できる空気側感度比と、入射側電極１１ｂは固体であるため気圧の変化の影響を受けにくく、数値の変化が少ないので１として取得できる電極側感度比とを用いて、簡易な式により補正係数を取得することができる。
【００４５】
また、本実施形態では、上記のように、制御部１２は、気圧計１３の測定値に応じて補正係数をテーブルから読み出し、補正係数により放射線量を補正するように構成されている。これにより、テーブルに記憶された補正係数を読み出すだけで放射線量を補正することができるので、補正係数をリアルタイムにおいて計算するよりも迅速に放射線量を補正することができる。この結果、制御部１２の負荷を軽減することができる。
【００４６】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００４７】
たとえば、上記実施形態では、制御部１２は、Ｘ線計測器４内に設けられた計測基板となっているが、本発明はこれに限られない。本発明では、制御部は、外部に設けられたＰＣ（Ｐｅｒｓｏｎａｌ  Ｃｏｍｐｕｔｅｒ）であってもよい。
【００４８】
また、上記実施形態では、第１の割合は、電離電流全体のうちの第１電離電流の割合により求められているが、本発明はこれに限られない。本発明では、第１の割合は、電離箱内において電子（第１電子＋第２電子）が空気に与えた総エネルギーのうちの第１電子が空気に与えたエネルギーの割合であってもよい。
【００４９】
また、上記実施形態では、第２の割合は、電離電流全体のうちの第２電離電流の割合により求められているが、本発明はこれに限られない。本発明では、第２の割合は、電離箱内において電子（第１電子＋第２電子）が空気に与えた総エネルギーのうちの第２電子が空気に与えたエネルギーの割合であってもよい。
【００５０】
また、上記実施形態では、補正係数は、補正係数テーブル１２ｃから読み出されているが、本発明はこれに限られない。本発明では、補正係数は、数式によりリアルタイムで計算されてもよい。
【００５１】
また、上記実施形態では、Ｘ線撮影装置１は、ＦＰＤ３を備えているが、本発明では、これに限られない。本発明では、Ｘ線撮影装置は、ＦＰＤ以外のＸ線を検出可能な検出器を備えていてもよい。
【符号の説明】
【００５２】
１  Ｘ線撮影装置（放射線撮影装置）
２  Ｘ線照射部（放射線照射部）
３  ＦＰＤ（放射線検出部）
４  Ｘ線計測器（放射線計測器）
６  被検体
１１  電離箱
１１ｂ  入射側電極
１１ｃ  出射側電極
１２  制御部
１２ｂ  メモリ（記憶媒体）
１２ｃ  補正係数テーブル（テーブル）
１３  気圧計
【図１】
2019003374.tif 000009
【図２】
2019003374.tif 000010
【図３】
2019003374.tif 000011
【図４】
2019003374.tif 000012
【図５】
2019003374.tif 000013
【図６】
2019003374.tif 000014
【国際調査報告】
2019003374.tif 000015
2019003374.tif 000016
2019003374.tif 000017
2019003374.tif 000018